(57)【要約】【課題】従来と比較してディスク装置の設計を容易にすることができるヘッド調整装置を提供すること。【解決手段】ヘッド調整装置１００は、ディスクに対して情報の読み取り及び書き込みの少なくとも一方を行うピックアップ１４０と、ピックアップ１４０を案内するガイドシャフト１５１、及び、ガイドシャフト１５１に固定されたカム部１５４を有したカム案内部１５０と、ガイドシャフト１５１を回転可能に支持する軸部１７１、軸部１７２、軸部１７３、軸部１７４及び支持台１７５と、カム部１５４に係合する基板１１０と、カム部１５４を基板１１０に付勢するバネ１９１とを備え、カム部１５４は、ガイドシャフト１５１の回転軸１５０ａからの距離に変化がある外周面１５４ａが形成されるようにする。【選択図】      図１
2004164682.tif 000002
【特許請求の範囲】
【請求項１】
ディスクに対して情報の読み取り及び書き込みの少なくとも一方を行うヘッド部と、前記ヘッド部を案内する案内棒、及び、前記案内棒に固定されたカム部を有したカム案内部と、前記案内棒を回転可能に支持する支持部と、前記カム部に係合する係合部と、前記カム部を前記係合部に付勢する付勢部とを備え、
前記カム部は、前記案内棒の回転軸からの距離に変化がある外周面が形成されたことを特徴とするヘッド調整装置。
【請求項２】
前記カム部は、前記ヘッド部に対して前記案内棒の両端側に配置されたことを特徴とする請求項１に記載のヘッド調整装置。
【請求項３】
前記カム部は、１つの前記案内棒に対して複数配置され、複数配置された前記カム部の少なくとも１つが前記回転軸を中心として回転可能であることを特徴とする請求項１に記載のヘッド調整装置。
【請求項４】
前記カム案内部を、複数有し、
複数の前記カム案内部の前記案内棒は、互いに略平行に配置されたことを特徴とする請求項１に記載のヘッド調整装置。
【請求項５】
前記案内棒及び前記カム部は、一部品として形成されたことを特徴とする請求項１に記載のヘッド調整装置。
【請求項６】
前記案内棒及び前記カム部の少なくとも一方は、工具と嵌合する嵌合部を前記回転軸の延在方向における端に有したことを特徴とする請求項１に記載のヘッド調整装置。
【請求項７】
請求項１から請求項６までの何れかに記載のヘッド調整装置を備えたことを特徴とするディスク装置。
【発明の詳細な説明】
【０００１】
【発明の属する技術分野】
本発明は、ディスクに対して情報の読み取り及び書き込みの少なくとも一方を行うヘッド部のディスクに対する位置及び角度を調整するヘッド調整装置と、このヘッド調整装置を備えたディスク装置とに関する。
【０００２】
【従来の技術】
従来、ＤＶＤ（Ｄｉｇｉｔａｌ  Ｖｅｒｓａｔｉｌｅ  Ｄｉｓｃ）等のディスクに対して記録及び再生の少なくとも一方を行うディスク装置に備えられてヘッド部のディスクに対する位置及び角度を調整するヘッド調整装置として、図１０に示すようなヘッド調整装置９００が知られている（例えば、特許文献１参照。）。
【０００３】
ヘッド調整装置９００は、図示していないディスクに対して情報の読み取りを行う図示していないヘッド部と、ヘッド部を案内するガイドシャフト９１０と、雌ネジ９２１を有してガイドシャフト９１０に係合した基部９２０と、雌ネジ９２１と嵌合してガイドシャフト９１０に係合した雄ネジ９３０と、基部９２０に支持されてガイドシャフト９１０を雄ネジ９３０側に付勢したバネ９４０とを備えている。
【０００４】
そして、雄ネジ９３０が回転させられて雌ネジ９２１及び雄ネジ９３０の嵌合の状態が変更されることによって、ヘッド調整装置９００はディスクに対するヘッド部の位置及び角度を調整していた。
【０００５】
【特許文献１】
特開２００２−１５４３４号公報（第４頁、第５図）
【０００６】
【発明が解決しようとする課題】
しかしながら、上記従来のヘッド調整装置９００においては、雄ネジ９３０を覆い隠す部材が雄ネジ９３０の近傍に存在すると、雄ネジ９３０を回転させることができずにディスクに対するヘッド部の位置及び角度を調整することができないので、雄ネジ９３０を覆い隠す部材が雄ネジ９３０の近傍に存在しないようにディスク装置が設計されなければならないという問題が有った。
【０００７】
そこで、本発明は、従来と比較してディスク装置の設計を容易にすることができるヘッド調整装置を提供することを目的とする。
【０００８】
【課題を解決するための手段】
上記課題を解決するために、本発明のヘッド調整装置は、ディスクに対して情報の読み取り及び書き込みの少なくとも一方を行うヘッド部と、前記ヘッド部を案内する案内棒、及び、前記案内棒に固定されたカム部を有したカム案内部と、前記案内棒を回転可能に支持する支持部と、前記カム部に係合する係合部と、前記カム部を前記係合部に付勢する付勢部とを備え、前記カム部は、前記案内棒の回転軸からの距離に変化がある外周面が形成された構成を有している。
【０００９】
この構成により、本発明のヘッド調整装置は、カム案内部が回転させられることによって係合部に対する案内棒の位置及び角度が変化するので、カム案内部の少なくとも一部においてカム案内部を覆い隠す部材がカム案内部の近傍に存在しなければ、カム案内部が回転させられることができ、ディスクに対するヘッド部の位置及び角度を調整することができる。したがって、本発明のヘッド調整装置は、従来と比較してディスク装置の設計を容易にすることができる。
【００１０】
また、本発明のヘッド調整装置は、前記カム部は、前記ヘッド部に対して前記案内棒の両端側に配置された構成を有している。
【００１１】
この構成により、本発明のヘッド調整装置は、カム案内部が回転させられることによって係合部に対する案内棒の両端の位置が変化するので、カム部がヘッド部に対して案内棒の一端側のみに配置される場合とは、ディスクに対するヘッド部の位置及び角度の調整を異ならせることができる。
【００１２】
また、本発明のヘッド調整装置は、前記カム部は、１つの前記案内棒に対して複数配置され、複数配置された前記カム部の少なくとも１つが前記回転軸を中心として回転可能である構成を有している。
【００１３】
この構成により、本発明のヘッド調整装置は、１つの案内棒に対して複数配置されたカム部の少なくとも１つが案内棒の回転軸を中心として回転可能であるので、カム案内部が回転させられることによって生じる係合部に対する案内棒の位置及び角度の変化を、案内棒の回転軸を中心としてカム部を回転させることによって変更することができる。
【００１４】
また、本発明のヘッド調整装置は、前記カム案内部を、複数有し、複数の前記カム案内部の前記案内棒は、互いに略平行に配置された構成を有している。
【００１５】
この構成により、本発明のヘッド調整装置は、複数のカム案内部が回転させられることによって係合部に対する複数の案内棒の位置及び角度が変化するので、カム案内部がヘッド部に対して１つのみ配置される場合とは、ディスクに対するヘッド部の位置及び角度の調整を異ならせることができる。
【００１６】
また、本発明のヘッド調整装置は、前記案内棒及び前記カム部は、一部品として形成された構成を有している。
【００１７】
この構成により、本発明のヘッド調整装置は、ディスクに対するヘッド部の位置及び角度を従来と比較して少ない部品で調整することができる。
【００１８】
また、本発明のヘッド調整装置は、前記案内棒及び前記カム部の少なくとも一方は、工具と嵌合する嵌合部を前記回転軸の延在方向における端に有した構成を有している。
【００１９】
この構成により、本発明のヘッド調整装置は、工具と嵌合する嵌合部を案内棒及びカム部の少なくとも一方が回転軸の延在方向における端に有しているので、案内棒を覆い隠す部材を案内棒の近傍で案内棒の回転軸に略直交する方向に存在させることができ、案内棒の回転軸に略直交する方向に小型化することができる。
【００２０】
また、本発明のディスク調整装置は、ヘッド調整装置を備えた構成を有している。
【００２１】
この構成により、本発明のディスク調整装置は、従来と比較して容易に設計されることができる。
【００２２】
【発明の実施の形態】
以下、本発明の実施の形態について、図面を用いて説明する。
【００２３】
（第１の実施の形態）
【００２４】
まず、第１の実施の形態に係るヘッド調整装置の構成について説明する。
【００２５】
図１及び図２に示すように、本実施の形態に係るヘッド調整装置１００は、基板１１０と、基板１１０に支持されたスピンドルモータ１２０と、スピンドルモータ１２０の駆動軸１２１に固定されてディスク８００を保持するターンテーブル１３０と、ターンテーブル１３０に保持されたディスク８００に対して情報の読み取り及び書き込みの少なくとも一方を行うヘッド部としてのピックアップ１４０とを備えている。
【００２６】
また、ヘッド調整装置１００は、ピックアップ１４０を案内する案内棒としてのガイドシャフト１５１と、ガイドシャフト１５１と略平行に配置されてピックアップ１４０を案内するガイドシャフト１６１と、基板１１０に設けられてガイドシャフト１５１を回転可能に支持する支持部としての軸部１７１、軸部１７２、軸部１７３、軸部１７４及び支持台１７５と、基板１１０に設けられてガイドシャフト１６１を保持する保持部１８１及び保持部１８２と、ガイドシャフト１５１及び基板１１０に係合することによってガイドシャフト１５１を基板１１０側に付勢するバネ１９１及びバネ１９２とを備えている。
【００２７】
ここで、軸部１７１、軸部１７２、軸部１７３及び軸部１７４は、ピックアップ１４０がターンテーブル１３０に保持されたディスク８００に対して離隔又は近接する矢印１０１で示す方向にガイドシャフト１５１が移動可能であるようにガイドシャフト１５１を支持している。
【００２８】
また、軸部１７１、軸部１７２及びバネ１９１は、ピックアップ１４０に対してガイドシャフト１５１の一端１５１ａ側に設けられており、軸部１７３、軸部１７４、支持台１７５及びバネ１９２は、ピックアップ１４０に対してガイドシャフト１５１の他端１５１ｂ側に設けられている。
【００２９】
また、ヘッド調整装置１００は、図３に示すように、軸部１７１及び軸部１７２（図１参照）を挟み込んでガイドシャフト１５１の回転軸１５０ａの矢印１５０ｂで示す延在方向へのガイドシャフト１５１の移動を規制する規制部１５２及び規制部１５３と、ガイドシャフト１５１の回転軸１５０ａからの距離に変化がある外周面１５４ａが形成されてガイドシャフト１５１に固定されたカム部１５４とを、ピックアップ１４０（図１参照）に対してガイドシャフト１５１の一端１５１ａ側に備えている。
【００３０】
ここで、ガイドシャフト１５１、規制部１５２、規制部１５３及びカム部１５４は、一部品として形成されてカム案内部１５０を構成している。
【００３１】
また、ガイドシャフト１５１は、図示していない工具と嵌合する嵌合部１５１ｃを矢印１５０ｂで示す方向における端である他端１５１ｂに有しており、カム部１５４は、工具と嵌合する嵌合部１５４ｂを矢印１５０ｂで示す方向における端に有している。
【００３２】
なお、カム部１５４は、図２に示すように、バネ１９１がガイドシャフト１５１を基板１１０側に付勢しているので基板１１０に係合している。即ち、基板１１０は、カム部１５４に係合する係合部を構成しており、バネ１９１は、カム部１５４を基板１１０に付勢する付勢部を構成している。
【００３３】
また、ガイドシャフト１５１は、バネ１９２がガイドシャフト１５１を基板１１０側に付勢しているので支持台１７５に係合している。
【００３４】
次に、本実施の形態に係るヘッド調整装置の動作について説明する。
【００３５】
工具が矢印１５０ｂで示す方向に移動させられて嵌合部１５１ｃ又は嵌合部１５４ｂに嵌合させられた後、回転させられると、カム案内部１５０は、回転軸１５０ａを中心にして回転する。
【００３６】
カム部１５４が回転軸１５０ａを中心にして回転すると、ガイドシャフト１５１の一端１５１ａが矢印１０１で示す方向に移動してガイドシャフト１５１が他端１５１ｂを中心に矢印１０２で示す方向に回動するので、ターンテーブル１３０に保持されたディスク８００に対するピックアップ１４０の位置及び角度は変化する。
【００３７】
以上に説明したように、ヘッド調整装置１００は、カム案内部１５０が回転軸１５０ａを中心にして回転させられることによって基板１１０に対するガイドシャフト１５１の位置及び角度が変化するので、カム案内部１５０の少なくとも一部においてカム案内部１５０を覆い隠す部材がカム案内部１５０の近傍に存在しなければ、カム案内部１５０が回転軸１５０ａを中心にして回転させられることができ、ディスク８００に対するピックアップ１４０の位置及び角度を調整することができる。
【００３８】
即ち、本実施の形態において、工具が嵌合部１５１ｃ又は嵌合部１５４ｂに嵌合させられて回転させられることによって、カム案内部１５０が回転軸１５０ａを中心にして回転させられていたが、本発明によれば、嵌合部１５１ｃ及び嵌合部１５４ｂ以外のカム案内部１５０の一部にカム案内部１５０が回転させられるための動力を加えられても良い。
【００３９】
したがって、ヘッド調整装置１００は、従来と比較してディスク装置の設計を容易にすることができる。換言すると、ヘッド調整装置１００を備えたディスク調整装置は、従来と比較して容易に設計されることができる。
【００４０】
また、ガイドシャフト１５１が、工具と嵌合する嵌合部１５１ｃを矢印１５０ｂで示す方向における端である他端１５１ｂに有しており、カム部１５４が、工具と嵌合する嵌合部１５４ｂを矢印１５０ｂで示す方向における端に有しているので、ヘッド調整装置１００は、ガイドシャフト１５１を覆い隠す部材をガイドシャフト１５１の近傍でガイドシャフト１５１の回転軸１５０ａに略直交する方向に存在させることができ、ガイドシャフト１５１の回転軸１５０ａに略直交する方向に小型化することができる。
【００４１】
また、ガイドシャフト１５１及びカム部１５４が一部品として形成されているので、ヘッド調整装置１００は、ディスク８００に対するピックアップ１４０の位置及び角度を従来と比較して少ない部品で調整することができる。なお、ガイドシャフト１５１及びカム部１５４は、本実施の形態において、一部品として形成されていたが、本発明によれば、別々の部品として形成されていても良い。
【００４２】
（第２の実施の形態）
【００４３】
まず、第２の実施の形態に係るヘッド調整装置の構成について説明する。
【００４４】
なお、本実施の形態に係るヘッド調整装置の構成のうち、第１の実施の形態に係るヘッド調整装置の構成と同様な構成は、第１の実施の形態に係るヘッド調整装置の構成と同一の符号を付して詳細な説明を省略する。
【００４５】
図４及び図５に示すように、本実施の形態に係るヘッド調整装置２００は、基板１１０、スピンドルモータ１２０、ターンテーブル１３０、ピックアップ１４０、ガイドシャフト１６１、保持部１８１及び保持部１８２を備えている。
【００４６】
また、ヘッド調整装置２００は、ガイドシャフト１６１と略平行に配置されてピックアップ１４０を案内する案内棒としてのガイドシャフト２５１と、基板１１０に設けられてガイドシャフト２５１を回転可能に支持する支持部としての軸部１７１、軸部１７２、軸部１７３及び軸部１７４と、ガイドシャフト２５１及び基板１１０に係合することによってガイドシャフト２５１を基板１１０側に付勢するバネ１９１及びバネ１９２とを備えている。
【００４７】
ここで、軸部１７１、軸部１７２、軸部１７３及び軸部１７４は、ピックアップ１４０がターンテーブル１３０に保持されたディスク８００に対して離隔又は近接する矢印１０１で示す方向にガイドシャフト２５１が移動可能であるようにガイドシャフト２５１を支持している。
【００４８】
また、軸部１７１、軸部１７２及びバネ１９１は、ピックアップ１４０に対してガイドシャフト２５１の一端２５１ａ側に設けられており、軸部１７３、軸部１７４及びバネ１９２は、ピックアップ１４０に対してガイドシャフト２５１の他端２５１ｂ側に設けられている。
【００４９】
また、ヘッド調整装置２００は、図６に示すように、軸部１７１及び軸部１７２（図４参照）を挟み込んでガイドシャフト２５１の回転軸２５０ａの矢印２５０ｂで示す延在方向へのガイドシャフト２５１の移動を規制する規制部２５２及び規制部２５３と、ガイドシャフト２５１の回転軸２５０ａからの距離に変化がある外周面２５４ａが形成されてガイドシャフト２５１に固定されたカム部２５４とを、ピックアップ１４０（図４参照）に対してガイドシャフト２５１の一端２５１ａ側に備えている。
【００５０】
また、ヘッド調整装置２００は、ガイドシャフト２５１の回転軸２５０ａからの距離に変化がある外周面２５５ａが形成されてガイドシャフト２５１に固定されたカム部２５５を、ピックアップ１４０に対してガイドシャフト２５１の他端２５１ｂ側に備えている。
【００５１】
ここで、ガイドシャフト２５１、規制部２５２、規制部２５３、カム部２５４及びカム部２５５は、一部品として形成されてカム案内部２５０を構成している。
【００５２】
また、カム部２５４は、図示していない工具と嵌合する嵌合部２５４ｂを矢印２５０ｂで示す方向における端に有しており、カム部２５５は、工具と嵌合する嵌合部２５５ｂを矢印２５０ｂで示す方向における端に有している。
【００５３】
なお、カム部２５４及びカム部２５５は、図２に示すように、バネ１９１及びバネ１９２がガイドシャフト２５１を基板１１０側に付勢しているので基板１１０に係合している。即ち、基板１１０は、カム部２５４及びカム部２５５に係合する係合部を構成しており、バネ１９１及びバネ１９２は、カム部２５４及びカム部２５５を基板１１０に付勢する付勢部を構成している。
【００５４】
次に、本実施の形態に係るヘッド調整装置の動作について説明する。
【００５５】
工具が矢印２５０ｂで示す方向に移動させられて嵌合部２５４ｂ又は嵌合部２５５ｂに嵌合させられた後、回転させられると、カム案内部２５０は、回転軸２５０ａを中心にして回転する。
【００５６】
カム部２５４が回転軸２５０ａを中心にして回転すると、ガイドシャフト２５１の一端２５１ａ及び他端２５１ｂがそれぞれ矢印１０１で示す方向に移動するので、ターンテーブル１３０に保持されたディスク８００に対するピックアップ１４０の位置及び角度は変化する。
【００５７】
以上に説明したように、ヘッド調整装置２００は、カム案内部２５０が回転軸２５０ａを中心にして回転させられることによって基板１１０に対するガイドシャフト２５１の位置及び角度が変化するので、カム案内部２５０の少なくとも一部においてカム案内部２５０を覆い隠す部材がカム案内部２５０の近傍に存在しなければ、カム案内部２５０が回転軸２５０ａを中心にして回転させられることができ、ディスク８００に対するピックアップ１４０の位置及び角度を調整することができる。
【００５８】
即ち、本実施の形態において、工具が嵌合部２５４ｂ又は嵌合部２５５ｂに嵌合させられて回転させられることによって、カム案内部２５０が回転軸２５０ａを中心にして回転させられていたが、本発明によれば、嵌合部２５４ｂ及び嵌合部２５５ｂ以外のカム案内部２５０の一部にカム案内部２５０が回転させられるための動力を加えられても良い。
【００５９】
したがって、ヘッド調整装置２００は、従来と比較してディスク装置の設計を容易にすることができる。換言すると、ヘッド調整装置２００を備えたディスク調整装置は、従来と比較して容易に設計されることができる。
【００６０】
また、カム部２５４が、工具と嵌合する嵌合部２５４ｂを矢印２５０ｂで示す方向における端に有しており、カム部２５５が、工具と嵌合する嵌合部２５５ｂを矢印２５０ｂで示す方向における端に有しているので、ヘッド調整装置２００は、ガイドシャフト２５１を覆い隠す部材をガイドシャフト２５１の近傍でガイドシャフト２５１の回転軸２５０ａに略直交する方向に存在させることができ、ガイドシャフト２５１の回転軸２５０ａに略直交する方向に小型化することができる。
【００６１】
また、ヘッド調整装置２００は、カム部２５４がピックアップ１４０に対してガイドシャフト２５１の一端２５１ａ側に配置されており、カム部２５５がピックアップ１４０に対してガイドシャフト２５１の他端２５１ｂ側に配置されており、カム案内部２５０が回転させられることによって基板１１０に対するガイドシャフト２５１の一端２５１ａ及び他端２５１ｂの位置が変化するので、図１に示す第１の実施の形態に係るヘッド調整装置１００のようにカム部１５４がピックアップ１４０に対してガイドシャフト１５１の一端１５１ａ側のみに配置される場合とは、ディスク８００に対するピックアップ１４０の位置及び角度の調整を異ならせることができる。
【００６２】
また、ガイドシャフト２５１及びカム部２５４が一部品として形成されているので、ヘッド調整装置２００は、ディスク８００に対するピックアップ１４０の位置及び角度を従来と比較して少ない部品で調整することができる。なお、ガイドシャフト２５１及びカム部２５４は、本実施の形態において、一部品として形成されていたが、本発明によれば、別々の部品として形成されていても良い。
【００６３】
例えば、ヘッド調整装置２００は、カム案内部２５０に代えて図７に示すカム案内部３５０を備えていても良い。
【００６４】
カム案内部３５０は、ピックアップ１４０（図４参照）を案内する案内棒としてのガイドシャフト３５１を備えている。また、カム案内部３５０は、軸部１７１及び軸部１７２（図４参照）を挟み込んでガイドシャフト３５１の回転軸３５０ａの矢印３５０ｂで示す延在方向へのガイドシャフト３５１の移動を規制する規制部３５２及び規制部３５３と、ガイドシャフト３５１の回転軸３５０ａからの距離に変化がある外周面３５４ａが形成されてガイドシャフト３５１に固定されたカム部３５４とを、ピックアップ１４０（図４参照）に対してガイドシャフト３５１の一端３５１ａ側に備えている。
【００６５】
また、ガイドシャフト３５１は、ピックアップ１４０に対して他端３５１ｂ側に雄ネジ３５１ｃを有しており、カム案内部３５０は、雄ネジ３５１ｃと嵌合した雌ネジ３５５と、ガイドシャフト３５１及び雌ネジ３５５によって締め付けられることによってガイドシャフト３５１に固定されてガイドシャフト３５１の回転軸３５０ａからの距離に変化がある外周面３５６ａが形成されたカム部３５６とを備えている。
【００６６】
ここで、ガイドシャフト３５１、規制部３５２、規制部３５３及びカム部３５４は、一部品として形成されており、ガイドシャフト３５１、規制部３５２、規制部３５３及びカム部３５４と、雌ネジ３５５と、カム部３５６とは、別々の部品として形成されている。
【００６７】
また、ガイドシャフト３５１は、図示していない工具と嵌合する嵌合部３５１ｄを矢印３５０ｂで示す方向における端である他端３５１ｂに有しており、カム部３５４は、工具と嵌合する嵌合部３５４ｂを矢印３５０ｂで示す方向における端に有している。
【００６８】
そして、ガイドシャフト３５１と雌ネジ３５５とによるカム部３５６の締め付けが緩められて、カム部３５６がガイドシャフト３５１に対して回転軸３５０ａを中心として回転させられた後、再びガイドシャフト３５１と雌ネジ３５５とによってカム部３５６が締め付けられてガイドシャフト３５１に固定されることによって、カム案内部３５０は、カム部３５６のガイドシャフト３５１に対する角度を変更することができる。
【００６９】
以上に説明したように、カム案内部３５０は、１つのガイドシャフト３５１に対して複数配置されたカム部３５４及びカム部３５６のうちカム部３５６がガイドシャフト３５１の回転軸３５０ａを中心として回転可能であるので、ヘッド調整装置２００は、カム案内部２５０に代えてカム案内部３５０を備えているとき、カム案内部３５０が回転させられることによって生じる基板１１０に対するガイドシャフト３５１の位置及び角度の変化を、ガイドシャフト３５１の回転軸３５０ａを中心としてカム部３５６を回転させることによって変更することができる。
【００７０】
（第３の実施の形態）
【００７１】
まず、第３の実施の形態に係るヘッド調整装置の構成について説明する。
【００７２】
なお、本実施の形態に係るヘッド調整装置の構成のうち、第２の実施の形態に係るヘッド調整装置の構成と同様な構成は、第２の実施の形態に係るヘッド調整装置の構成と同一の符号を付して詳細な説明を省略する。
【００７３】
図８及び図９に示すように、本実施の形態に係るヘッド調整装置４００は、基板１１０、スピンドルモータ１２０、ターンテーブル１３０、ピックアップ１４０、カム案内部２５０、軸部１７１、軸部１７２、軸部１７３、軸部１７４、バネ１９１及びバネ１９２を備えている。
【００７４】
また、ヘッド調整装置４００は、カム案内部２５０、軸部１７１、軸部１７２、軸部１７３、軸部１７４、バネ１９１及びバネ１９２と同様なカム案内部４５０、軸部４７１、軸部４７２、軸部４７３、軸部４７４、バネ４９１及びバネ４９２を備えている。
【００７５】
なお、カム案内部４５０は、カム案内部２５０のガイドシャフト２５１、規制部２５２、規制部２５３、カム部２５４及びカム部２５５と同様なガイドシャフト４５１、規制部４５２、規制部４５３、カム部４５４及びカム部４５５を備えており、ピックアップ１４０を案内する案内棒としてのガイドシャフト２５１及びガイドシャフト４５１は互いに略平行に配置されている。
【００７６】
次に、本実施の形態に係るヘッド調整装置の動作について説明する。
【００７７】
第２の実施の形態において説明したように、カム案内部２５０が回転軸２５０ａを中心にして回転させられると、ガイドシャフト２５１の一端２５１ａ及び他端２５１ｂがそれぞれ矢印１０１で示す方向に移動し、カム案内部４５０が回転軸４５０ａを中心にして回転させられると、ガイドシャフト４５１の一端４５１ａ及び他端４５１ｂがそれぞれ矢印１０１で示す方向に移動するので、ターンテーブル１３０に保持されたディスク８００に対するピックアップ１４０の位置及び角度は変化する。
【００７８】
以上に説明したように、ヘッド調整装置４００は、カム案内部２５０及びカム案内部４５０が回転させられることによって基板１１０に対するガイドシャフト２５１及びガイドシャフト４５１の位置及び角度が変化するので、図１に示す第１の実施の形態に係るヘッド調整装置１００のようにカム案内部１５０がピックアップ１４０に対して１つのみ配置される場合や、図４に示す第２の実施の形態に係るヘッド調整装置２００のようにカム案内部２５０又はカム案内部３５０（図７参照）がピックアップ１４０に対して１つのみ配置される場合とは、ディスク８００に対するピックアップ１４０の位置及び角度の調整を異ならせることができる。
【００７９】
なお、ヘッド調整装置４００は、本実施の形態において、カム案内部２５０を備えていたが、本発明によれば、カム案内部２５０に代えてカム案内部１５０（図１参照）又はカム案内部３５０（図７参照）を備えていても良い。同様に、ヘッド調整装置４００は、カム案内部４５０に代えてカム案内部１５０又はカム案内部３５０を備えていても良い。
【００８０】
【発明の効果】
以上に説明したように、本発明によれば、従来と比較してディスク装置の設計を容易にすることができるヘッド調整装置を提供することができる。
【図面の簡単な説明】
【図１】本発明の第１の実施の形態に係るヘッド調整装置の上面図
【図２】図１に示すヘッド調整装置の側面図
【図３】（ａ）図１に示すヘッド調整装置のカム案内部の正面図
（ｂ）図３（ａ）の矢印Ａで示す方向から見たカム案内部の側面図
（ｃ）図３（ａ）の矢印Ｂで示す方向から見たカム案内部の側面図
【図４】本発明の第２の実施の形態に係るヘッド調整装置の上面図
【図５】図４に示すヘッド調整装置の側面図
【図６】（ａ）図４に示すヘッド調整装置のカム案内部の正面図
（ｂ）図６（ａ）の矢印Ｃで示す方向から見たカム案内部の側面図
（ｃ）図６（ａ）の矢印Ｄで示す方向から見たカム案内部の側面図
【図７】（ａ）本発明の第２の実施の形態に係るヘッド調整装置のカム案内部の図６に示す例とは異なる例での正面図
（ｂ）図７（ａ）の矢印Ｅで示す方向から見たカム案内部の側面図
（ｃ）図７（ａ）の矢印Ｆで示す方向から見たカム案内部の側面図
【図８】本発明の第３の実施の形態に係るヘッド調整装置の上面図
【図９】図８に示すヘッド調整装置の正面図
【図１０】従来のヘッド調整装置の正面断面図
【符号の説明】
１００      ヘッド調整装置
１１０      基板（係合部）
１４０      ピックアップ（ヘッド部）
１５０      カム案内部
１５０ａ      回転軸
１５１      ガイドシャフト（案内棒）
１５１ｃ      嵌合部
１５４      カム部
１５４ａ      外周面
１５４ｂ      嵌合部
１７１、１７２、１７３、１７４      軸部（支持部）
１７５      支持台（支持部）
１９１、１９２      バネ（付勢部）
２００      ヘッド調整装置
２５０      カム案内部
２５０ａ      回転軸
２５１      ガイドシャフト（回転棒）
２５４      カム部
２５４ａ      外周面
２５４ｂ      嵌合部
２５５      カム部
２５５ａ      外周面
２５５ｂ      嵌合部
３５０      カム案内部
３５０ａ      回転軸
３５１      ガイドシャフト（回転棒）
３５１ｄ      嵌合部
３５４      カム部
３５４ａ      外周面
３５４ｂ      嵌合部
３５６      カム部
３５６ａ      外周面
４００      ヘッド調整装置
４５０      カム案内部
４５０ａ      回転軸
４５１      ガイドシャフト（回転棒）
４５４、４５５      カム部
４７１、４７２、４７３、４７４      軸部（支持部）
４９１、４９２      バネ（付勢部）
８００      ディスク
【図１】
2004164682.tif 000003
【図２】
2004164682.tif 000004
【図３】
2004164682.tif 000005
【図４】
2004164682.tif 000006
【図５】
2004164682.tif 000007
【図６】
2004164682.tif 000008
【図７】
2004164682.tif 000009
【図８】
2004164682.tif 000010
【図９】
2004164682.tif 000011
【図１０】
2004164682.tif 000012